(57)【要約】【課題】２方向に出入口があるエレベーターを含むエレベーター群であっても、ビル管理者または保守員が、エレベーターの不停止指令を容易に設定できるようにする。【解決手段】２方向に出入口があるエレベーターを含む複数台のエレベーターと、エレベーターの運行を制御する群制御装置と、エレベーターに対し停止階及び不停止階を設定及び可視化を可能とした昇降機監視システムにおいて、２方向に出入口のあるエレベーターに対して（５１）、出入口前方と後方を区別表示し（５２，５３）、各階床毎に出入口前方と後方のそれぞれに停止，不停止の指令設定を行う。【選択図】  図２
2010168140.tif 000002
【特許請求の範囲】
【請求項１】
２方向に出入口があるエレベーターを含む複数台のエレベーターと、前記エレベーターの運行を制御する群制御装置と、前記エレベーターに対し停止階及び不停止階を設定及び可視化を可能とした昇降機監視システムにおいて、
前記２方向に出入口のあるエレベーターに対して、出入口前方と後方を区別表示し、各階床毎に前記出入口前方と後方のそれぞれに停止，不停止の指令設定を行うことを特徴とする昇降機監視システム。
【請求項２】
請求項１に記載のものにおいて、全エレベーターを一括して表示する画面を設け、貫通階のある階床は前記出入口前方と後方のそれぞれに停止，不停止の指令設定がされたことを表示すると共に、貫通階のない階床は設定できないことを表示することを特徴とする昇降機監視システム。
【請求項３】
請求項１に記載のものにおいて、停止の指令設定を初期値とし、不停止の指令設定を選択するようにしたことを特徴とする昇降機監視システム。
【請求項４】
請求項１に記載のものにおいて、各エレベーターに停止，不停止指令を設定する画面を設け、２方向に出入口があるエレベーターに前記不停止指令が設定された場合、出入口前方あるいは後方を選択するためのポップアップウィンドウが表示されることを特徴とする昇降機監視システム。
【発明の詳細な説明】
【技術分野】
【０００１】
本発明は、エレベーターの運転案内表示を行う昇降機監視システムに関し、特に、２方向に出入口があるエレベーターの不停止指令を設定及び可視化するものに好適である。
【背景技術】
【０００２】
従来、監視装置から、エレベーターの不停止階を任意に設定でき、設定ごとの不停止階を自動的に明瞭表示するため、不停止階データに基づき、不停止設定が解除されるまで、不停止階表示部分に「止まりません」や「通過」などを自動的に例えば赤ＬＥＤによる照明で常時表示することが特許文献１に記載されている。
【０００３】
また、２方向に出入口があり貫通階のあるエレベーターの乗りかご内に設置されるかご内誘導装置において、操作ボタンの操作方向を素早く判断できるようにするため、操作誘導の案内表示、すなわちこちら側操作案内表示およびうしろ側操作案内表示を設けることが特許文献２に記載されている。
【０００４】
さらに、エレベーター設置数が多い建物にはＰＣを用いてモニタで監視するＰＣ監視システムが普及しており、エレベーターの配設に応じた区画を複数のエリアの分割画面から成る複数階層の監視画面を設け、切替えて画面に表示することが知られ、特許文献３に記載されている。
【先行技術文献】
【特許文献】
【０００５】
【特許文献１】特開平１０−３１０３３６号公報
【特許文献２】特開２００５−２８０８８６号公報
【特許文献３】特開平８−２３１１４９号公報
【発明の概要】
【発明が解決しようとする課題】
【０００６】
上記従来技術においては、２方向に出入口があるエレベーターの不停止指令の設定を特に考慮していないので、１方向及び２方向が混在してエレベーターが配設された設備内では、各々のエレベーターに対して前方後方を分けた不停止指令の設定などが必要となり、より複雑な構成となる。
【０００７】
本発明の目的は、上記従来技術の課題を解決し、２方向に出入口があるエレベーターを含むエレベーター群であっても、ビル管理者または保守員が、エレベーターの不停止指令を容易に設定できるようにすることにある。
【課題を解決するための手段】
【０００８】
上記目的を達成するため、本発明は、２方向に出入口があるエレベーターを含む複数台のエレベーターと、前記エレベーターの運行を制御する群制御装置と、前記エレベーターに対し停止階及び不停止階を設定及び可視化を可能とした昇降機監視システムにおいて、前記２方向に出入口のあるエレベーターに対して、出入口前方と後方を区別表示し、各階床毎に前記出入口前方と後方のそれぞれに停止，不停止の指令設定を行うものである。
【発明の効果】
【０００９】
本発明によれば、２方向に出入口のあるエレベーターに対して、出入口前方と後方を区別表示し、各階床毎に出入口前方と後方のそれぞれに停止，不停止の指令設定を行うので、方向に出入口があるエレベーターを含むエレベーター群であっても、ビル管理者または保守員が、エレベーターの不停止指令を容易に設定できる。
【図面の簡単な説明】
【００１０】
【図１】本発明の一実施の形態における主要構成を示すブロック図。
【図２】一実施の形態における監視画面を示す平面図。
【図３】一実施の形態における２方向に出入口があるエレベーターの側面図。
【図４】他の実施の形態における監視画面を示す平面図。
【図５】他の実施の形態におけるエレベーターの不停止設定するまでの画面偏移を示す図。
【図６】他の実施の形態における不停止指令を設定するフローチャート。
【発明を実施するための形態】
【００１１】
図１は、監視システムの主要構成を示すブロック図である。  
監視システムからエレベーターに各種運転の指令を設定する場合、モニタ３４より任意の運転指令を設定すると、運転指令制御機能３３が連動し、３４で設定されたエレベーター制御情報がデータ格納機能３１に伝達される。データ格納機能３１に格納されたエレベーター制御情報は運行情報処理機能３０により、各グループのエレベーター制御装置、例えばＡグループに配設されたエレベーターであればＡグループの制御装置２０に伝達され、各々のエレベーター制御装置１０から１２に制御情報が集約される。
【００１２】
その他のグループ制御装置２１も同様の構成となっており、グループ制御装置に集約される号機制御装置の数は同数でなくても良い。以上により、モニタ３４で設定された制御情報は号機制御装置１０から１２から対応する乗かご１から３に伝達され各種運転が実行される。
【００１３】
また、逆に乗かごの運行状態をモニタ３４で確認する。乗かご１から３の運行情報は対応する号機制御装置１０から１２に集約され、グループ制御装置２０，運行情報処理機能３０を介してデータ格納機能３１に格納される。データ格納機能３１に格納された運行情報は運行状態表示機能３２により、モニタ３４を媒体にして画面上に表示される。ここで、データ格納機能３１ではエレベーター運行情報及びエレベーターに対する監視システムからの運転指令を一定期間保管し、履歴としてモニタ３４に表示可能な構成とする。
【００１４】
２方向に出入口があるエレベーターを含む全エレベーターを一括監視する画面上で、不停止指令を設定する場合の画面表示レイアウトを図２に示す。また、２方向に出入口があるエレベーターの側面から見た概観を図３に示す。乗かご６０の乗客がかご戸７０から乗場８０もしくはかご戸７１から乗場８１へ乗降することが可能なエレベーターである。
【００１５】
図２の画面表示は、階床（Ｂ２〜１４）を５０に、乗りかごＡ１が５１に表示され、２方向に出入口のあるエレベーターに関しては出入口前方５２と後方５３の表示により区別され、階床毎に出入口前方５２と後方５３について、停止，不停止の指令設定が、例えば、押釦部５５を押圧（押釦化）することで可能となっている。また、貫通階のない階床に関しては５４のように塗りつぶしにして設定できないようにしている。
【００１６】
不停止指令を設定する場合は、設定する階床の押釦部５５を押下すれば良いが、２方向に出入口があるエレベーターでは、さらに前方後方を選択できる。その際、図２のように押釦５５の初期値を停止と表記し、押下時には不停止となるように表記するか、設定前後で色分けして操作者が判別し易い表記にしている。
【００１７】
特定のエレベーターまたは特定の階床だけを不停止にする仕様の場合、このエレベーターと同じ区画に配設されたエレベーターをひとつのグループとして図４に示す個別監視画面としてまとめる。
【００１８】
図４は、Ｎo.Ｃ１〜Ｃ６号機をひとつのグループとしてまとめた個別監視画面を表しており、複数の運転指令設定手段が併設されている。
【００１９】
９０は休止指令を設定するキースイッチの配列を表し、号機毎に指令設定できるようになっている。一方、９１はグループ単位で設定するキースイッチで、グループ一括で火災管制指令が設定される。９２は特定のエレベーターＮo.Ｃ１，Ｃ３号機を不停止設定するためのキースイッチを表しており、図５にＮo.Ｃ１号機を不停止設定するまでの画面レイアウトを順に示す。
【００２０】
Ｎo.Ｃ１号機に不停止指令を設定する場合、まず９３の不停止釦を押下し、９４のようにキースイッチの指令を停止から不停止に切替える。Ｎo.Ｃ１号機が２方向に出入口があるエレベーターの場合、図４の画面に出入口前方後方を選択するためのポップアップウィンドウ９５が表示される。この画面において、不停止に設定する出入口の前方または後方釦を押下する。
【００２１】
前方または後方の設定をした後に、階床選択をするためのポップアップウィンドウ（２）９６が表示される。ここで、不停止に設定する階床を選択する。１方向に出入口があるエレベーターの場合は、９５は表示されず、９４から９６のウィンドウが表示される。
【００２２】
ポップアップ表示により、不停止に設定する出入口，階床を選択するための表示をあらかじめ用意する必要がなくなり、画面レイアウトとして見易いものとすることができる。さらに、２方向に出入口があるエレベーターに対しても、エレベーター１台に一つだけの指令設定手段、例えば押釦あるいはキースイッチを用意するだけで済むので、ビル管理者または保守員が容易に不停止指令を設定することができる。
【００２３】
図６は、以上説明した個別監視画面での２方向出入口エレベーターＮo.Ｃ１号機に対して、不停止指令を設定するフローチャートを示す。
【符号の説明】
【００２４】
１，２，３  エレベーター乗かご
１０，１１，１２  号機制御装置
２０，２１  グループ制御装置
３０  運行情報処理機能
３１  データ格納機能
３２  運行状態表示機能
３３  運転指令制御機能
３４  モニタ（監視画面表示機能）
４０  監視装置
５０  階床表示
５１  号機Ｎo.表示
５２  前方表示
５３  後方表示
５４  塗りつぶし表示
５５，９３  不停止指令設定手段
６０  乗かご
７０，７１  かご戸
８０，８１  乗場
９０  号機単位の指令設定表示
９１  グループ単位の指令設定表示
９２  不停止指令設定表示
９４  不停止釦押下時の表示
９５  前方後方選択表示（ポップアップウィンドウ）
９６  階床選択表示（ポップアップウィンドウ２）
【図１】
2010168140.tif 000003
【図２】
2010168140.tif 000004
【図３】
2010168140.tif 000005
【図４】
2010168140.tif 000006
【図５】
2010168140.tif 000007
【図６】
2010168140.tif 000008